(57)【要約】【課題】表皮材を紐材で座板に取り付けている椅子において、座を跳ね上げ式としてその下面が人目に触れる場合であっても、紐材の結び目を露出させずに美感悪化を防止する。【解決手段】座板６の下面に下向き開口の環状溝６３が形成されており、表皮材８の周縁とこれに取り付けた紐材６６とは環状溝６３に嵌まっている。環状溝６３は座板６の後部で途切れており、この環状溝６３が途切れた部分に、紐材６６の結び目（連結部）６６ａと余長部分とが位置している。紐材６６の結び目６６ａと余長部分とは、カバー片６４で覆われる。カバー片６４は座板６に一体成形されており、付け根部は薄いヒンジ部６４ａになっている。【選択図】図７
2014097180.tif 000002
【特許請求の範囲】
【請求項１】
体圧が掛かる荷重受け板とその表面に配置したクッション材とこのクッション材を覆う表皮材とを有しており、前記クッション材の周縁には、一端と他端とを連結してループ状に成した紐材が取り付けられており、前記紐材を前記荷重受け板の裏面に設けた係止部に係止して成る構成であって、
前記体圧支持体の裏面に、紐材の両端の連結部を覆うカバー片を設けている、
椅子の体圧支持体。
【請求項２】
前記荷重受け板は樹脂の成形品であり、前記カバー片を、その付け根を中心にして折り畳まれるように前記荷重受け板に一体成形している、
請求項１に記載した椅子の体圧支持体。
【請求項３】
前記体圧支持体は座板であって、前記係止部は内外の下向き壁によって形成された環状溝になっており、前記環状溝を前記体圧支持体の後部において分断して、この環状溝が分断した部位に前記紐材の連結部と前記カバー片とを配置している、
請求項１又は２に記載した椅子の体圧支持体。
【請求項４】
前後に嵌合可能な脚装置と、この脚装置で支持された座及び背もたれとを備えており、前記座を跳ね上げることで前後にネスティング可能になっている構成であって、前記座が請求項１〜３のうちのいずれかの構成である、
跳ね上げ式座を有する椅子。
【発明の詳細な説明】
【技術分野】
【０００１】
本願発明は、椅子及びこれを構成する座や背もたれのような体圧支持体に関するものである。ここに体圧支持体としては、座や背もたれの他に、ヘッドレストやシェルダーレスト、肘当てなども含まれる。
【背景技術】
【０００２】
例えば椅子の座を例にとると、樹脂製等の座板の上面にクッション材を張った構成になっていることが多い。同様に、背もたれにおいても、樹脂製の背板の前面にクッション材を張った構成になっていることが多い。いずれにしても、クッション材はクロスやレザー等の表皮材で覆われており、表皮材の周縁は座板や背板の裏面（座板の場合は下面、背板の場合は背面）に固定されている。
【０００３】
表皮材を座板や背板に取り付ける手段としては、タッカーで固定する方法と紐材で固定する方法とがあり、紐材による固定方法は作業が簡単であると共に、廃棄後の処理も容易である利点がある。紐材は表皮材の周縁に形成した筒部に挿入されているが、紐材を飛び飛びに露出させて、この露出部を座板又は背板の裏面に形成した係合部に係止していることが多い。
【０００４】
紐材は一端と他端とがあり、両端を連結することでループ状に成しているが、連結のために余長部分があり、この余長部分が露出していると人目に触れた場合に見苦しく、また、椅子の組み立て等において余長部分が物に引っ掛かるおそれもある。そこで、特許文献１には、紐材の余長部分を収納する穴部を座板等のシェル材に設けることが記載されている。
【先行技術文献】
【特許文献】
【０００５】
【特許文献１】特開２００２−１２５８００号公報
【発明の概要】
【発明が解決しようとする課題】
【０００６】
さて、座を跳ね上げて前後に嵌め合わせできるネスティング式の椅子があるが、このネスティング式椅子の場合、座を跳ね上げるとその裏面が露出して紐材の連結部や余長部分が人目に触れる可能性がある。しかるに、特許文献１の穴部は座板等のシェル材に凹み形成されているに過ぎないため、ネスティング式椅子の座板に適用すると、穴部と一緒に紐材の余長部分が露出して美感の向上に寄与しない結果になる可能性が高い。
【０００７】
本願発明は、このような現状を改善すべく成されたものである。
【課題を解決するための手段】
【０００８】
本願発明は、各請求項によって特定されている。このうち請求項１の発明は、体圧が掛かる荷重受け板とその表面に配置したクッション材とこのクッション材を覆う表皮材とを有しており、前記クッション材の周縁には、一端と他端とを連結してループ状に成した紐材が取り付けられており、前記紐材を前記荷重受け板の裏面に設けた係止部に係止して成る構成において、前記体圧支持体の裏面に、紐材の両端の連結部を覆うカバー片を設けている。
【０００９】
請求項２の発明は、請求項１において、前記荷重受け板は樹脂の成形品であり、前記カバー片を、その付け根を中心にして折り畳まれるように前記荷重受け板に一体成形している。
【００１０】
請求項３の発明は、請求項１又は２を椅子の座に適用している。すなわち、この請求項３では、前記体圧支持体は座板であって、前記係止部は内外の下向き壁によって形成された環状溝になっており、前記環状溝を前記体圧支持体の後部において分断して、この環状溝が分断した部位に前記紐材の連結部と前記カバー片とを配置している。
【００１１】
請求項４の発明は椅子に関する。この椅子は、前後に嵌合可能な脚装置と、この脚装置で支持された座及び背もたれとを備えており、前記座を跳ね上げることで前後にネスティング可能になっている構成であって、前記座が請求項１〜３のうちのいずれかの構成になっている。
【００１２】
なお、本願発明の「紐材」とは細長い形状で表皮材を絞って取り座板等に付けるできるものを総称しており、材質に限定はない。従って、金属線材も含んでいる。また、連結は一端と他端とを離反しない状態に保持することは意味しており、結ぶことには限らず、金属製材や樹脂材料の場合はねじって止めることも可能である。また、ループに連結する手段としては、縛ったりねじったりすることに限らず、一端と他端とに引っ掛け部材を取り付けて、これらを係合させると云ったことも可能である。当然ながら、結束具（連結具）を使用してもよい。
【発明の効果】
【００１３】
本願発明によると、紐材の連結部や余長部分をカバー片で覆うことができるため、ネスティング式椅子の座のように通常なら紐材の連結部が人目に触れる可能性があっても、連結部や余長部分を隠して美感の悪化を防止できる。
【００１４】
また、連結部や余長部分の露出による美感の悪化を招来することなく表皮材を紐材で絞り固定できるため、紐材による紐材の取り付け対象を拡大することにも貢献できる。すなわち、紐材による取り付けは作業が簡単である利点を有するものの、連結部や余長部の美的処理の点から紐材による取り付けを断念していたことも想定されるが、本願発明では連結部や余長部の美的に処理できるため、紐材による取り付けの対象を拡大できるのである。
【００１５】
カバー片は体圧支持体とは別部材とすることも可能であるが、請求項２のようにカバー片を体圧支持体に一体成形しておくと、部材管理の手間を無くすことができると共に、装着作業もワンタッチ的に行えるため、好適である。コスト抑制にも貢献できる。
【００１６】
請求項３のように紐材及び表皮材の縁部を環状溝に嵌め込むと、表皮材の縁部や紐材が視認し難くなるため、美感の点から特に好適である。特に、実施形態のように環状溝に縁部材を嵌め込んで環状溝の存在そのものも把握し難くしておくと、縁部材による被覆効果とカバー片による被覆効果とが相まって、優れた美感を実現できる。
【図面の簡単な説明】
【００１７】
【図１】実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２】座を分離した状態の斜視図、（Ｂ）は座受け部の斜視図である。
【図３】（Ａ）は座とスライダーとの関係を示す分離斜視図、（Ｂ）を座の後部を下かから部分斜視図、（Ｃ）は座の後部を上から見た部分斜視図である。
【図４】座の底面図である。
【図５】（Ａ）は座板の底面図、（Ｂ）は表皮材の部分図である。
【図６】（Ａ）は図５のＡ−Ａ視断面図、（Ｂ）は図５のＢ−Ｂ視断面図である。
【図７】（Ａ）はカバーを倒す前の斜視図、（Ｂ）はカバーを倒した状態での斜視図である。
【図８】座部を跳ね上げた椅子の斜視図である。
【発明を実施するための形態】
【００１８】
(1).椅子の概略
次に、本願発明の実施形態を図面に基づいて説明する。まず、椅子の概略を図１，２に基づいて説明する。なお、以下の説明で方向を特定するために「前後」「左右」の文言を使用しているが、この前後・左右は、椅子に普通に腰掛けた人から見た状態を基準にしている。正面視方向は、着座者と対向した方向である。
【００１９】
図１のとおり、椅子は、大きな要素として脚装置１と座２と背もたれ３とを備えており、座２は、跳ね上げ回動式の可動式ベース４に取り付けられている。従って、座２と可動式ベース４とを主要要素として座部５が構成されている。図１（Ａ）に示すように、座２は、樹脂製の座板（座インナーシェル）６とその上面に張った座クッション材７とを備えており、座クッション材７はクロス等の表皮材８で覆われている。図２に示すように、可動式ベース４の上面には多数の補強リブ９を設けている。
【００２０】
脚装置１は鋼管やアルミ管等の金属管から成っており、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００２１】
左右の上サイド部１４の前端は左右横長の横杆１５で連結されている。図１（Ｂ）のとおり、可動式ベース４の下面には、横杆１５の左右中間部が嵌まる凹所４ａを形成している。後足１１の上端は自由端になっており、上端に軸心を左右水平とした上支軸１７が溶接で固定されており、この上支軸１７に背もたれ３が後傾動可能に連結されている。後足１１を上向きに延出して支持フレーム１９が構成されている。
【００２２】
左右の後足１１の左右間隔は左右前足１０の左右間隔よりも大きくなっており、このため、座部５を跳ね上げた状態で前後の椅子の脚装置１同士を嵌め合わせる（ネスティングする）ことが可能になっている。図２に示すように、可動式ベース４は、平面視四角形で浅い箱状の本体部２１と、本体部２１の後部から外側に広がりつつ上向きに突出した角状アーム２２と有している。
【００２３】
角状アーム２２の上端には左右外向きに突出したボス部（軸受部）２３を一体に設けており、このボス部２３が支持フレーム１９の上下中途部に回動可能に連結されている。これにより、座部５は図１（Ｂ）のように跳ね上げられた（折り畳まれた）状態になる。
【００２４】
図１（Ｃ）に示すように、背もたれ３は、前後に大きく開口した背もたれ本体（メインフレーム）２９と、背もたれ本体２９にその開口部を覆うように取り付けられたサポート体３０とを有している。サポート体３０の前面には背クッション材３１を張っている。背もたれ本体２９のうち下寄りの部位には左右外側に張り出した外向き張り出し部２９ａを形成しており、この外向き張り出し部２９ａの外端に、上支軸１７に嵌まる軸受け部３２を形成している。
【００２５】
背もたれ３が後傾すると、座２は前進する。従って、座２は可動式ベース４に前後スライド自在に取り付けられている。具体的には、図２に示すように、可動式ベース４に左右一対のスライダー３６を前後動自在に装着し、左右スライダー３６に座板６が前後相対動不能に装着されている。従って、座２はスライダー３６と一緒に相対動する。スライダー３６の前進動はばね（図示せず）で弾性的に支持される。本実施形態では、座板６が体圧支持体の一例になっている。
【００２６】
更に、左右の支持フレーム１９の後端部には金属板製の左右横長の支持ステー４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。受動アーム４２の上端には樹脂製の冠部材４４を装着しており、冠部材４４が背もたれ本体２９の押動部４３に嵌合している。
【００２７】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。支持ステー４０のうちスライダー３６の固定部は上向き膨出部４０ａになっており、上向き膨出部４０ａに凹み形成した段部４０ｂにスライダー３６の突片３６ｃをビスで固定している。
【００２８】
図３に示すように、座板６の下面には、スライダー３６を左右から抱持する前後一対ずつの下向き規制体５９，６０を設けており、前部の下向き規制体５９には、スライダー３６の前端面に当たる規制部５９ａを設けている。更に、座板６には、スライダー３６の後端に当接するストッパー爪６０を設けている。
【００２９】
ストッパー爪６０は、後端を自由端とした後ろ向きの舌片６１の後端に形成しており、かつ、ストッパー爪６０の後面は後ろに行くる従って高くなる傾斜面６０ａになっている。このため、座板６をスライダー３６に重ねて後ろにずらすと、ストッパー爪６０はいったん上に逃げ移動してから戻り変形して、スライダー３６のうち突片３６ｃの左右外側に位置した後端面に当接し、これにより、座板６は前後左右にずれ不能に保持される。
【００３０】
更に、座板６の下面には、支持ステー４０の前端縁に手前から嵌合する側面視鉤型のリア係合爪６２を設けている。リア係合爪６２は左右中間部とその左右外側との３カ所に設けており、リア係合爪６２の存在によって座板６の後部は支持ステー４０から上向き動不能に保持されているため、ストッパー爪６０がスライダー３６に係合した状態が保持されている。
【００３１】
(2).表皮材の取り付け構造
次に、図５〜８を参照して表皮材８の取り付け構造を説明する。図５（Ｂ）に一部だけを示すように、表皮材８の外周縁には筒部６５が縫着等で形成されており、筒部６５には紐６６が通されている。紐６６は座板６の下面に形成した環状溝６３に嵌め込でおり、一端と他端とは座板６の後端部の箇所で結んでいる。結び目（連結部）を符号６６ａで示している。環状溝６３は内外の壁を下向き突設することで構成しており、座板６の後部において分断されている。
【００３２】
表皮材８の筒部６５は適当な間隔で飛び飛びに切除しており、従って、紐６６は切除部６７の箇所で露出している。他方、図６（Ａ）のとおり、座板６における環状溝６３の内側面に紐の露出部が引っ掛かる爪６８を形成している。このように紐６６の露出部を爪６８に掛けた状態で紐６６の両端を引っ張って結ぶ（連結する）ことにより、座クッション材７及び表皮材８を座板６に取り付けている。なお、先に紐６６の両端を結んでおいてから、座クッション材８の弾性変形を利用して、紐６６を環状溝６３に嵌め込んで爪６８に引っ掛けることも可能である。
【００３３】
図１（Ｂ）から理解できるように、座板６は跳ね上げた状態でその外周部の下面が手前に露出し、座板６の環状溝６３が人目に触れる。そこで、図６のとおり、環状溝６３に、縁部材（閉鎖具）の一例として、軟質材からなるチューブ６９を嵌め込んでいる。これにより、環状溝６３や爪６８が露出することによる外観の悪化を防止できる。また、表皮材８の縁が環状溝６３の外面に押えられるため、表皮材８の縁がシャープなラインとなって現れることになり、この面からも美感に優れたものになる。
【００３４】
なお、チューブ６９は座板６又は表皮材８と同じ色にしてもよいし、座板６及び表皮材８とは異なる色にしてもよい。環状溝６３を塞ぐ縁部材としては、チャーブ６９８に代えて断面円形又は断面角形の棒状弾性や、断面Ｕ型又はコの字型のエッジ材なども使用できる。チューブ等の縁部材は、複数本に分断して嵌め込んでもよい。
【００３５】
環状溝６３は座板６の後部において途切れており、紐６６の結び目６６ａは座板６の後部の左右中間部に位置している。そこで、紐６６の結び目６６ａと余長部分とを隠すカバー片６４を座板６に一体成形し、図７のようにカバー片６４を倒すことで紐６６の結び目６６ａと余長部分とを端部を隠している。カバー片６４は環状溝６３の端と密接又は近接しているので、紐６６が外部に露出することは殆どない。なお、図７では表皮材６も紐材６６も実線で表示している（実際には、紐材６６の一部は表皮材６６で隠れている。）。
【００３６】
カバー片６４は図７（Ａ）のように起立姿勢に成形されており、付け根を薄いヒンジ部６４ａと成すことにより、倒し回動を許容している。また、座板６にカバー片６４が嵌まる凹所７０を形成しており、カバー片６４を凹所７０に嵌め込んだ状態で、カバー片６４の外面は座板６の下面と同一面を成すように設定している。
【００３７】
また、カバー片６４には後ろ向きの係合突起７１を形成する一方、座板６には、係合突起７１が強制嵌合される係合穴７２を形成している。従って、カバー片６４の付け根と凹所７０の後端との間には上下に開口した透かし穴７３になっている。これは、カバー片６４（係合突起７１）を成形するための抜き違い穴である。
【００３８】
カバー片６４は座板６とは別体に構成してこれを強制嵌合や接着等で座板６に嵌め込むことも可能であるが、実施形態のように座板６に一体成形すると、紛失等の問題を解消できると共に、一々姿勢合わせする必要はないため、閉塞作業もワンタッチで行える。
【００３９】
紐材を止める係止部は、座板の下面に飛び飛びで突設した爪状突起であってもよい。この場合は、爪状突起の群と紐材の露出部と表皮材の周縁とを縁部材で覆ったらよい。その場合は、縁部材は爪状突起に強制嵌合してもよいし、別の係止手段を設けてもよい。
【００４０】
実施形態のカバー片は座板の手前から後ろに向けて倒しているが、座板の手前に向けて倒すように構成することも可能である（この場合は、カバー片は座板の後端縁に一体成形することになる。）。
【産業上の利用可能性】
【００４１】
本願発明は実際に椅子に適用できる。従って、産業上利用できる。
【符号の説明】
【００４２】
１  脚装置
２  座
６  体圧支持体の一例としての座板
８  座の表皮材
６３  環状溝
６５  筒部
６６  紐材
６６ａ  結び目
６４  カバー片
６８  爪
７０  凹所
７１  係合突起
７２  係合穴
【図１】
2014097180.tif 000003
【図２】
2014097180.tif 000004
【図３】
2014097180.tif 000005
【図４】
2014097180.tif 000006
【図５】
2014097180.tif 000007
【図６】
2014097180.tif 000008
【図７】
2014097180.tif 000009
【図８】
2014097180.tif 000010